(57)【要約】 【課題】正規にメダルを投入せずに不正な方法で遊技を行うことを防止できるメダル投入検出装置を提供する。【解決手段】メダルが滑動または落下し得る通路と、通路に設けられるメダル検出用のセンサを備えたメダル投入検出装置において、センサは複数の発光素子と、各発光素子と夫々対を成す受光素子とを備え、各受光素子は夫々が対応する発光素子が出力する信号のみを受信し、各発行素子から出力する信号は夫々ランダムに発信するよう制御され、対応する発光素子が信号を出力していないときに受光素子が信号を受信した場合にはエラーと判断する構成とする。【選択図】      図７
2006271830.tif 000002
【特許請求の範囲】
【請求項１】
メダルが滑動または落下し得る通路と、該通路に設けられる前記メダル検出用のセンサを備えたメダル投入検出装置において、
前記センサは複数の発光素子と、
前記各発光素子と夫々対を成す受光素子とを備え、
前記各受光素子は夫々が対応する発光素子が出力する信号のみを受信し、
前記各発行素子から出力する信号は夫々ランダムに発信するよう制御され、
対応する発光素子が信号を出力していないときに前記受光素子が信号を受信した場合にはエラーと判断することを特徴とするメダル投入検出装置。
【発明の詳細な説明】
【技術分野】
【０００１】
本発明は、遊技機で遊技を行う際に投入するメダルを検知する、メダル投入検出装置に関するものである。
【背景技術】
【０００２】
従来、パチンコパチスロホールやゲームセンターに設置されたスロットマシンなどの遊技機には、投入口から投入されたメダルの真偽を判定するメダル投入検出装置が設けられている。このメダル投入検出装置のメダル通路には複数のセンサ（フォトインタラプタ等）が所定距離だけ離して設けられ、各センサにより検出されるメダルの通過タイミングなどから、真正なメダルであるかの判定を行っている。
【０００３】
このようなメダル投入検出装置に対し、糸吊りメダルを使用してメダル通路を往復させたり、細長いセルロイド板等をメダル投入口からメダル通路へ挿入してセンサを通過させたりして、メダルが通過したかのようにセンサを誤認させて正規のメダルを投入することなく遊技を開始する不正遊技が行われている。
【０００４】
このような不正を排除するメダル投入の検出方法が、例えば特許文献１に開示されている。特許文献１に開示されているメダル投入の検出方法は、メダルの直径より狭い間隔で第１のセンサと第２のセンサが２つ並列して設けられ、第１のセンサによりメダルを検出したときに第２のセンサがメダルを検出していないことを確認し、その後第１のセンサがメダルを検出しなくなったときに第２のセンサがメダルを検出していることを確認することにより出力をする。即ち、２つのセンサのメダルの通過を検出する時間の後先によりメダルが逆方向に進む異常を検出するものである。
【０００５】
このようなメダルの通過の検出は、メダルが通過（落下）する通路の対向する側壁に発光部と受光部の対になったセンサが設けられ、メダルが通過するときはメダルにより光が遮断されることを検出することで行われている。なお、このセンサは第１のセンサと第２のセンサがメダルの通路の上下（または左右）の一旦側に偏らないように両端に分けて設けられている。
【特許文献１】特開平１１−２０３５４１
【発明の開示】
【発明が解決しようとする課題】
【０００６】
しかし、このようなメダル投入検出装置に対しても以下のような方法で不正遊技が行われている。透明プラスチック板にＬＥＤが装着された機器をメダル投入口から挿入して、センサ位置にてＬＥＤの発光を点滅制御し、メダルが実際に通過したかのようにセンサを誤認させて不正に遊技を行う。上記したメダル投入検出装置ではこのような不正を検知することができないという問題がある。
【０００７】
本発明は、以上の問題点に鑑みなされたもので、上記したような不正遊技を防止できるメダル投入検出装置を提供することを目的とする。
【課題を解決するための手段】
【０００８】
このため本発明は、メダルが滑動または落下し得る通路と、通路に設けられるメダル検出用のセンサを備えたメダル投入検出装置において、センサは複数の発光素子と、各発光素子と夫々対を成す受光素子とを備え、各受光素子は夫々が対応する発光素子が出力する信号のみを受信し、各発行素子から出力する信号は夫々ランダムに発信するよう制御され、対応する発光素子が信号を出力していないときに受光素子が信号を受信した場合にはエラーと判断するものとした。
【発明の効果】
【０００９】
本発明により、正規にメダルを投入せずに、ＬＥＤが装着された機器をメダル投入口から挿入して、センサ位置にてＬＥＤの発光を点滅制御し、メダルが実際に通過したかのようにセンサを誤認させようとした場合に、メダル投入との誤判定を防止できる。
【発明を実施するための最良の形態】
【００１０】
以下、本発明の実施例を、図面に従って説明する。図１は本実施の形態におけるメダル投入検出装置１のセンサ配置の概略を示す図である。図中３はメダル通路であり、投入されたメダルＭが通過する。メダル通路３にはその出口付近にセンサ１０ａ，１０ｂが投入されたメダルＭの進行方向に沿って適当な距離だけ離して配設されている。センサ１０ｂはメダル通路３の底面側に、センサ１０ａはメダルＭを検知することが可能な高さ位置に夫々配設される。
【００１１】
図２（ａ）は図１におけるＡ−Ａ断面図であり、図２（ｂ）は図１におけるＢ−Ｂ断面図である。センサ１０ａ，１０ｂは例えばコの字型をしたフォトインタラプタ等の光センサで構成されるものである。センサ１０ａは内部に２つの発光素子１２ａ，１４ａと、２つの受光素子１２ｂ，１４ｂが、開口部２０を挟んでメダルＭの進行方向と垂直に並んで備えられている。また、発光素子１２ａ，１４ａから出力される光を各発光素子に対向して設けられた受光素子１２ｂ，１４ｂが検出する。センサ１０ｂも同様に２つの発光素子１６ａ，１８ａと、夫々に対向して設けられる受光素子１６ｂ，１８ｂが備えられている。
各発光素子は直進性の高いＬＥＤを使用するなどして、その出力する光を夫々が対応する受光素子だけが受光できるようにする。また、各発光素子が夫々異なる波長の光を出力し、各受光素子には対応する発光素子が出力する波長の光のみを通過させるフィルターなどを設けてもよい。
【００１２】
センサ１０ａは、発光素子１２ａと受光素子１２ｂはメダルＭの中心から直径の４分の１程度上方の位置が、発光素子１４ａと受光素子１４ｂはメダルＭの中心位置が通過するような高さになるように配設される。また、センサ１０ｂは、発光素子１６ａと受光素子１６ｂはメダルＭの中心から直径の４分の１程度下方の位置が、発光素子１８ａと受光素子１８ｂはメダルＭの中心位置が通過するような高さになるように配設される。
【００１３】
上記したように構成することにより、メダルＭが通過する際には発光素子１２ａ，１４ａ，１６ａ，１８ａからの光が遮断されて受光素子１２ｂ，１４ｂ，１６ｂ，１８ｂで検出することができず、メダルＭによって発光素子１２ａ，１４ａ，１６ａ，１８ａからの光が遮断されていないときは光を検出することができるため、受光素子１２ｂ，１４ｂ，１６ｂ，１８ｂにおいて光の検出信号を出力しているかいないかでメダルＭが通過しているか通過していないかを知ることができる。
【００１４】
図３乃至図５はメダル投入の判定の制御の流れを示すフローチャートである。
図３はセンサ１０ａにおけるメダル検知の流れを示している。
ステップ１０１ではメダル検知フラグ１かメダル検知フラグ２（ステップ１０６、１１２でセットされる）の何れかがセットされているかをチェックする。何れのフラグもセットされていない場合はステップ１０２へ進み、発光素子１２ａ，１４ａのどちらを発光させるかをランダムに決定し、決定した発光素子のみを発光させた後ステップ１０３へ進む。何れかのフラグがセットされている場合は、そのままステップ１０３へ進む。
ステップ１０３では発光素子１２ａが発光している（ＯＮ）か、発光素子１４ａが発光している（ＯＮ）か、をチェックする。発光素子１２ａが発光している場合はステップ１０４へ進み、発光素子１４ａが発光している場合はステップ１１０へ進む。
【００１５】
ステップ１０４では、受光素子１４ｂが光を検出していない状態（ＯＦＦ）か否かをチェックする。光を検出していない状態の場合はステップ１０５へ進む。そうでない場合は受光素子１４ｂに対応する発光素子１４ａが発光していないにも関わらず、受光素子１４ｂが光を検出しており、不正な機器を使用している可能性があるので異常としてステップ１０９へ進む。
ステップ１０５では、受光素子１２ｂが光を検出していない状態（ＯＦＦ）か否かをチェックする。光を検出していない状態の場合はステップ１０６へ進みメダル検知フラグ１をセットし、ステップ１０１へ戻る。この場合ステップ１０１へ戻ると、メダル検知フラグ１がセットされている状態なので、ステップ１０２は飛ばしてステップ１０３に進むことになる。即ち、発光素子１２ａはそのまま発光の状態を続け、発光素子１４ａはそのまま不発光の状態を続ける。受光素子１２ｂが光を検出している状態の場合はステップ１０７へ進みメダル検知フラグ１をクリアし、ステップ１０１へ戻る。
【００１６】
ステップ１１０では、受光素子１２ｂが光を検出していない状態（ＯＦＦ）か否かをチェックする。光を検出していない状態の場合はステップ１１１へ進む。そうでない場合は受光素子１２ｂに対応する発光素子１２ａが発光していないにも関わらず、受光素子１２ｂが光を検出しており、不正な機器を使用している可能性があるので異常としてステップ１０９へ進む。
ステップ１１１では、受光素子１４ｂが光を検出していない状態（ＯＦＦ）か否かをチェックする。光を検出していない状態の場合はステップ１１２へ進みメダル検知フラグ２をセットし、ステップ１０１へ戻る。この場合ステップ１０１へ戻ると、メダル検知フラグ２がセットされている状態なので、ステップ１０２は飛ばしてステップ１０３に進むことになる。即ち、発光素子１２ａはそのまま発光の状態を続け、発光素子１４ａはそのまま不発光の状態を続ける。受光素子１４ｂが光を検出している状態の場合はステップ１１３へ進みメダル検知フラグ２をクリアし、ステップ１０１へ戻る。
【００１７】
即ち、センサ１０ａにおいて、発光素子１２ａが発光しているときにメダルＭがセンサ１０ａを通過するなどして光遮断の状態になるとメダル検知フラグ１がセットされ、発光素子１２ａは発光の状態を続け、発光素子１４ａは不発光の状態を続ける。メダルＭが通過し終えた後などに光非遮断の状態になるとメダル検知フラグ１はクリアされる。
また、発光素子１４ａが発光しているときにメダルＭがセンサ１０ａを通過するなどして光遮断の状態になるとメダル検知フラグ２がセットされ、発光素子１４ａは発光の状態を続け、発光素子１２ａは不発光の状態を続ける。メダルＭが通過し終えた後などに光非遮断の状態になるとメダル検知フラグ２はクリアされる。
さらに、不正な発光がある場合はエラーを出すように常時チェックされる。
【００１８】
図４はセンサ１０ｂにおけるメダル検知の流れを示している。
ステップ２０１ではメダル検知フラグ３かメダル検知フラグ４（ステップ２０６、２１２でセットされる）の何れかがセットされているかをチェックする。何れのフラグもセットされていない場合はステップ２０２へ進み、発光素子１６ａ，１８ａのどちらを発光させるかをランダムに決定し、決定した発光素子のみを発光させた後ステップ２０３へ進む。メダル検知フラグ３，４の何れかもしくは両方のフラグがセットされている場合は、そのままステップ２０３へ進む。
ステップ２０３では発光素子１６ａが発光している（ＯＮ）か、発光素子１８ａが発光している（ＯＮ）か、をチェックする。発光素子１６ａが発光している場合はステップ２０４へ進み、発光素子１８ａが発光している場合はステップ２１０へ進む。
【００１９】
ステップ２０４では、受光素子１８ｂが光を検出していない状態（ＯＦＦ）か否かをチェックする。光を検出していない状態の場合はステップ２０５へ進む。そうでない場合は受光素子１８ｂに対応する発光素子１８ａが発光していないにも関わらず、受光素子１８ｂが光を検出しており、不正な機器を使用している可能性があるので異常としてステップ２０９へ進む。
ステップ２０５では、受光素子１６ｂが光を検出していない状態（ＯＦＦ）か否かをチェックする。光を検出していない状態の場合はステップ２０６へ進みメダル検知フラグ３をセットし、ステップ２０１へ戻る。この場合ステップ２０１へ戻ると、メダル検知フラグ３がセットされている状態なので、ステップ２０２は飛ばしてステップ２０３に進むことになる。即ち、発光素子１６ａはそのまま発光の状態を続け、発光素子１８ａはそのまま不発光の状態を続ける。受光素子１６ｂが光を検出している状態の場合はステップ２０７へ進みメダル検知フラグ３をクリアし、ステップ２０１へ戻る。
【００２０】
ステップ２１０では、受光素子１６ｂが光を検出していない状態（ＯＦＦ）か否かをチェックする。光を検出していない状態の場合はステップ２１１へ進む。そうでない場合は受光素子１６ｂに対応する発光素子１６ａが発光していないにも関わらず、受光素子１６ｂが光を検出しており、不正な機器を使用している可能性があるので異常としてステップ２０９へ進む。
ステップ２１１では、受光素子１８ｂが光を検出していない状態（ＯＦＦ）か否かをチェックする。光を検出していない状態の場合はステップ２１２へ進みメダル検知フラグ４をセットし、ステップ２０１へ戻る。この場合ステップ２０１へ戻ると、メダル検知フラグ４がセットされている状態なので、ステップ２０２は飛ばしてステップ２０３に進むことになる。即ち、発光素子１６ａはそのまま発光の状態を続け、発光素子１８ａはそのまま不発光の状態を続ける。受光素子１８ｂが光を検出している場合はステップ２１３へ進みメダル検知フラグ４をクリアし、ステップ２０１へ戻る。
【００２１】
即ち、発光素子１６ａが発光しているときにメダルＭがセンサ１０ｂを通過するなどして光遮断の状態になるとメダル検知フラグ３がセットされ、発光素子１６ａは発光の状態を続け、発光素子１８ａは不発光の状態を続ける。メダルＭが通過し終えた後などに光非遮断の状態になるとメダル検知フラグ３はクリアされる。
また、発光素子１８ａが発光しているときにメダルＭがセンサ１０ｂを通過するなどして光遮断の状態になるとメダル検知フラグ４がセットされ、発光素子１８ａは発光の状態を続け、発光素子１６ａは不発光の状態を続ける。メダルＭが通過し終えた後などに光非遮断の状態になるとメダル検知フラグ４はクリアされる。
さらに、不正な発光がある場合はエラーを出すように常時チェックされる。
【００２２】
図５は各メダル検知フラグによるメダル投入の判定の流れを示している。
ステップ３０１では、メダル検知フラグ１がセットされた後、所定のΔＴ秒以内にメダル検知フラグ３がセットされたか否かをチェックする。メダル検知フラグ１がセットされた後、所定のΔＴ秒以内にメダル検知フラグ３がセットされた場合はステップ３０６へ進み、そうでない場合はステップ３０２へ進む。
【００２３】
ステップ３０２では、メダル検知フラグ１がセットされた後、所定のΔＴ秒以内にメダル検知フラグ４がセットされたか否かをチェックする。メダル検知フラグ１がセットされた後、所定のΔＴ秒以内にメダル検知フラグ４がセットされた場合はステップ３０７へ進み、そうでない場合はステップ３０３へ進む。
【００２４】
ステップ３０３では、メダル検知フラグ２がセットされた後、所定のΔＴ秒以内にメダル検知フラグ３がセットされたか否かをチェックする。メダル検知フラグ２がセットされた後、所定のΔＴ秒以内にメダル検知フラグ３がセットされた場合はステップ３０８へ進み、そうでない場合はステップ３０４へ進む。
【００２５】
ステップ３０４では、メダル検知フラグ２がセットされた後、所定のΔＴ秒以内にメダル検知フラグ４がセットされたか否かをチェックする。メダル検知フラグ２がセットされた後、所定のΔＴ秒以内にメダル検知フラグ４がセットされた場合はステップ３０９へ進み、そうでない場合はステップ３０５へ進む。
【００２６】
ここで、前述したようにセンサ１０ａは、発光素子１２ａと受光素子１２ｂはメダルＭの中心から直径の４分の１程度上方の位置が、発光素子１４ａと受光素子１４ｂはメダルの中心位置が通過するような高さになるように配設される。また、センサ１０ｂは、発光素子１６ａと１６ｂはメダルの中心から直径の４分の１程度下方の位置が、発光素子１８ａと１８ｂはメダルＭの中心位置が通過するような高さになるように配設される。従ってどの発光素子が発光しているときにメダルＭが通過するかによって、センサ１０ａで光遮断の状態になってからセンサ１０ｂで光遮断の状態になるタイミングは変わってくるので、前記したステップ３０１，３０２，３０３，３０４におけるΔＴは、セットされるメダル検知フラグの組み合わせにより異なる値が設定される。
【００２７】
また、本実施例のメダル検出装置はメダルＭによる正常な光遮断時間（メダル検知フラグのセット時間）をチェックする機能と、その判定基準の所定時間の値Ｔ１、Ｔ２が設定される。その所定時間Ｔ１，Ｔ２も、どの発光素子が発光しているときにメダルＭが通過するかによって光遮断時間は変わってくるので、メダル検知フラグの組み合わせにより異なる値が設定される。
ステップ３０６，３０７，３０８，３０９では、セットされるメダル検知フラグの組み合わせによりＴ１，Ｔ２の値を設定する。
【００２８】
ステップ３１０では、タイマｔの計時をスタートする。
ステップ３１１では、メダル検知フラグ１がクリアの状態か否かをチェックする。クリアの状態の場合は、ステップ３１４へ進み、そうでない場合はステップ３１２へ進む。
ステップ３１２では、タイマｔが所定時間Ｔ１以上か否かをチェックする。タイマｔが所定時間Ｔ１以上の場合は、メダルＭの通過に要する時間に相当する光遮断時間が長すぎであり、異常としてステップ３１３へ進む。タイマｔが所定時間Ｔ１未満の場合は、ステップ３１１へ戻り、メダル検知フラグ１がクリアの状態か否かのチェックを繰り返す。
【００２９】
ステップ３１１からステップ３１４へ進んだ場合は、メダル検知フラグ３がクリアの状態か否かをチェックする。メダル検知フラグ３がクリアの状態の場合は正規にメダルＭの投入が行われたとしてステップ３１６へ進む。
メダル検知フラグ３がセットの状態の場合は、ステップ３１５へ進む。
ステップ３１５では、タイマｔが所定時間Ｔ２以上かどうかをチェックする。タイマｔが所定時間Ｔ２以上の場合は、メダルＭの通過に要する時間に相当する光遮断時間が長すぎであり、異常としてステップ３１３へ進む。タイマｔがＴ２未満の場合は、ステップ３１４へ戻りメダル検知フラグ３がクリアの状態か否かのチェックを繰り返す。
【００３０】
３０７、３０８、３０９以降のフローチャートとステップ３０６以降のフローチャートとで相違するのは、ステップ３１１でクリアの状態かどうかをチェックされるメダル検知フラグが１であるか２であるかということ、ステップ３１４でクリアの状態かどうかをチェックされるメダル検知フラグが３であるか４であるかということ、ステップ３１２のＴ１の値、ステップ３１５のＴ２の値、のみであり、流れに関しては同様であるので、説明は省略する。
【００３１】
図６（ａ）、（ｂ）はメダルＭが正規に１枚投入された場合における各センサにおける出力を示すタイムチャートである。
通常待機時はセンサ１０ａでは発光素子１２ａ，１４ａの一方が発光の状態で、他方は不発光の状態であり、その切替えはランダムに行われる。センサ１０ｂにおいても発光素子１６ａ，１８ａの一方が発光の状態で、他方は不発光の状態であり、その切替えはランダムに行われる。
【００３２】
図６（ａ）はセンサ１０ａにおける出力を、図６（ｂ）はセンサ１０ｂにおける出力を示す。図ではメダルＭが、センサ１０ａの位置では発光素子１２ａが発光されているときに通過し、センサ１０ｂの位置では発光素子１６ａが発光されているときに通過した場合を示している。
【００３３】
メダルＭが、発光素子１２ａが発光しているときにセンサ１０ａを通過すると、受光素子１２ｂは光遮断の状態（ＯＦＦ）になり、メダル検知フラグ１がセットされる。発光素子１２ａはそのまま発光の状態を続け、発光素子１４ａは不発光の状態を続ける。
【００３４】
その後メダルＭがメダル通路内を移動し、発光素子１６ａが発光しているときにセンサ１０ｂを通過すると、受光素子１２ｂは光遮断の状態（ＯＦＦ）になり、メダル検知フラグ３がセットされる。発光素子１６ａはそのまま発光の状態を続け、発光素子１８ａは不発光の状態を続ける。
【００３５】
その後メダルＭが、センサ１０ａを通過し終えて、受光素子１２ｂが光非遮断の状態（ＯＮ）になるとメダル検知フラグ１がクリアされ、発光素子１２ａ，１４ａの発光、不発光はランダムに切替えを行われる状態に戻る。
【００３６】
その後メダルＭが、センサ１０ｂを通過し終えて、受光素子１６ｂが光非遮断の状態（ＯＮ）になるとメダル検知フラグ３がクリアされ、発光素子１６ａ，１８ａの発光、不発光はランダムに切替えを行われる状態に戻る。
【００３７】
上記したようにメダルＭが正規に投入されると、図６のようにメダル検知フラグがセット、クリアされ、メダル投入信号を出力する。
【００３８】
図７（ａ）、（ｂ）は不正にＬＥＤを挿入しセンサの位置でＯＮ，ＯＦＦ制御をした場合における各センサにおける出力を示すタイムチャートである。通常待機時はセンサ１０ａでは発光素子１２ａ，１４ａの一方が発光の状態で、他方は不発光の状態であり、その切替えはランダムに行われる。センサ１０ｂにおいても発光素子１６ａ，１８ａの一方が発光の状態で、他方は不発光の状態であり、その切替えはランダムに行われる。
【００３９】
図７（ａ）はセンサ１０ｂにおける出力を、図７（ｂ）はセンサ１０ｂにおける出力を示す。図では不正な機器のＬＥＤがセンサ１０ａの受光素子１２ｂの位置と、センサ１０ｂの１６ｂの位置でＯＮ，ＯＦＦ制御している状態を示す。
【００４０】
図のように受光素子１２ｂ，１６ｂで夫々対応する発光素子１２ａ，１６ａが発光していないにも関わらず受光しているので、メダル検知フラグはセットされず、エラー出力が行われる。
【００４１】
以上のように本発明によれば、ＬＥＤを用いて不正にメダルが通過したかのように受光素子における光遮断時間を偽装させても、メダル投入信号を出力せずエラー出力を行う。その結果不正を防止することができる。
【図面の簡単な説明】
【００４２】
【図１】メダル投入検出装置１のセンサ配置の概略を示す図である。
【図２】(a)は図１におけるA-A断面図であり、(b)は図１におけるB-B断面図である。
【図３】メダル投入の判定の制御の流れを示すフローチャートである。
【図４】メダル投入の判定の制御の流れを示すフローチャートである。
【図５】メダル投入の判定の制御の流れを示すフローチャートである。
【図６】各センサにおける出力を示すタイムチャートである。
【図７】各センサにおける出力を示すタイムチャートである。
【符号の説明】
【００４３】
１    メダル投入検出装置
３    メダル通路
１０ａ  センサ
１０ｂ  センサ
１２ａ  発光素子
１２ｂ  受光素子
１４ａ  発光素子
１４ｂ  受光素子
１６ａ  発光素子
１６ｂ  受光素子
１８ａ  発光素子
１８ｂ  受光素子
２０    開口部
２２    開口部
【図１】
2006271830.tif 000003
【図２】
2006271830.tif 000004
【図３】
2006271830.tif 000005
【図４】
2006271830.tif 000006
【図５】
2006271830.tif 000007
【図６】
2006271830.tif 000008
【図７】
2006271830.tif 000009